(57)【要約】      （修正有）【課題】太い０番手の糸から極めて細い糸や毛糸を上糸として用いた場合にも、糸締まりが良く縫い縮みを少なくすることができ、ソフトな縫い上がりを実現することのできる上糸調子調整具及びこの上糸調子調整具を備えたミシン装置を提供する。【解決手段】上糸調子装置４０が備えられたミシン装置における、前記上糸調子装置４０から針までの上糸２の糸道に設けられ、上糸調子装置４０から針側を上流として、上流側に第１の接触部５１を有すると共にこの第１の接触部５１より下流側に上糸２の糸道を変更する第２の接触部５２を具備する。【選択図】図３
2011251050.tif 000002
【特許請求の範囲】
【請求項１】
上糸調子装置が備えられたミシン装置における、前記上糸調子装置から針までの上糸の糸道に設けられ、
上糸調子装置から針側を上流として、上流側に第１の接触部を有すると共にこの第１の接触部より下流側に上糸の糸道を変更する第２の接触部を具備することを特徴とする上糸調子調整具。
【請求項２】
接触部は、穴または曲面により生成されていることを特徴とする請求項１に記載の上糸調子調整具。
【請求項３】
請求項１または２に記載の上糸調子調整具を上糸調子装置から針までの上糸の糸道に備えたことを特徴とするミシン装置。
【発明の詳細な説明】
【技術分野】
【０００１】
この発明は、上糸調子調整具及びこの上糸調子調整具を備えたミシン装置に関するものである。
【背景技術】
【０００２】
ミシンにとって上糸の張力などを指す上糸調子は極めて重要である。従来、上糸調子装置は、一対の糸調子皿間に上糸を通し、バネにより二つの皿に圧力を加え、このバネの弾性力をネジなどで調整するものが知られている。
【０００３】
更に、上記の構成の上糸調子装置を複数設け、一方の皿における間隙をレバーにより制御して糸調子を調整するものも知られている（特許文献１参照）。
【先行技術文献】
【特許文献】
【０００４】
【特許文献１】特開２００７−７５２５０号公報
【発明の概要】
【発明が解決しようとする課題】
【０００５】
上記のような従来の上糸調子装置は、一つだけでは高精度で糸調子を制御することが難しく、太い０番手の糸から極めて細い糸や毛糸を上糸として用いた場合には、糸締まりを良くし、縫い縮みを少なくすることは困難であった。
【０００６】
特許文献１のものにあっては、構成が複雑であり、コストが高くなる問題がある。
【０００７】
本発明は上記のようなミシン装置における現状に鑑みなされたもので、その目的は、簡単な構成でありながら、太い０番手の糸から極めて細い糸や毛糸を上糸として用いた場合にも、糸締まりが良く縫い縮みを少なくすることができ、ソフトな縫い上がりを実現することのできる上糸調子調整具及びこの上糸調子調整具を備えたミシン装置を提供することである。
【課題を解決するための手段】
【０００８】
本発明に係る上糸調子調整具は、上糸調子装置が備えられたミシン装置における、前記上糸調子装置から針までの上糸の糸道に設けられ、上糸調子装置から針側を上流として、上流側に第１の接触部を有すると共にこの第１の接触部より下流側に上糸の糸道を変更する第２の接触部を具備することを特徴とする。
【０００９】
本発明に係る上糸調子調整具では、接触部は、穴または曲面により生成されていることを特徴とする。
【００１０】
本発明に係るミシン装置は、請求項１または２に記載の上糸調子調整具を上糸調子装置から針までの上糸の糸道に備えたことを特徴とする。
【発明の効果】
【００１１】
本発明に係る上糸調子調整具及びこの上糸調子調整具を備えたミシン装置によれば、上糸調子調整具の第１の接触部と第２の接触部によって上糸調子に変化が生じるため、上糸調子装置において上糸の張力を従来より弱くすることによって、太い０番手の糸から極めて細い糸や毛糸を上糸として用いた場合にも、糸締まりが良く縫い縮みを少なくすることができ、ソフトな縫い上がりを実現することができる。
【図面の簡単な説明】
【００１２】
【図１】本発明に係るミシン装置における第１の実施例の構成を示す側面図。
【図２】本発明に係るミシン装置における第１の実施例の構成を示す側面の要部拡大図。
【図３】本発明に係る上糸調子調整具における第１の実施例の構成を示す斜視図。
【図４】本発明に係る上糸調子調整具における第１の実施例の変形例の構成を示す斜視図。
【図５】本発明に係る上糸調子調整具における第２の実施例の構成を示す斜視図。
【図６】本発明に係る上糸調子調整具における第３の実施例の構成を示す斜視図。
【図７】本発明に係る上糸調子調整具における第４の実施例の構成を示す斜視図。
【発明を実施するための形態】
【００１３】
以下添付図面を参照して、本発明に係る上糸調子調整具の実施例と上糸調子調整具を用いたミシン装置の実施例を説明する。各図において同一の構成要素には同一の符号を付し、重複する説明を省略する。図１及び図２に、本発明に係る上糸調子調整具を用いたミシン装置の実施形態を示す。ミシン装置の本体１０は、アーム部２０とヘッド部３０とを有している。
【００１４】
本体１０の後端側に設けられたプーリ１１は、図示しないモータなどの駆動源の回転によりベルトを介して一定方向に回転させられる。プーリ１１の軸の回転は、アーム部２０内に設けられた天秤クランクや針棒クランクロッドなどの伝達機構に伝達され、天秤１２と針棒１３とを動かす構成を有している。従って、プーリ１１が回転すると、伝達機構を介して天秤１２と針棒１３が上下に往復運動する。
【００１５】
例えば、アーム部２０上に設けられた図示しない上糸供給源から供給される上糸２は、アーム部２０の側部２１に設けられた糸掛け２２を介して概ね水平に糸掛け２３へ掛けられている。糸掛け２３によって上糸２は大きく下方へと導かれ、上糸調子装置４０へと到る。
【００１６】
上糸調子装置４０は図３に示すように、第１の皿４１と第２の皿４２とが重ねられて、ネジ４３により螺合されており、ネジ４３の手前側には調整ナット４４が螺合されている。調整ナット４４と第２の皿４２との間には竹の子バネ４５が介装されている。上糸２は第１の皿４１と第２の皿４２と間を通過するように配置される。調整ナット４４の締め付け度合いにより、第１の皿４１と第２の皿４２との間の上糸２に対する圧力が変化し、上糸の張力を調整することができる。
【００１７】
上糸調子装置４０には、上糸２を第１の皿４１と第２の皿４２の外側を回動させる糸取りバネ４６が設けられている。上糸調子装置４０の横には、糸掛け２４が設けられている。上糸２は、第１の皿４１と第２の皿４２の間を概ね半周し、糸取りバネ４６から図の左下方の糸掛け２４へ到る。
【００１８】
上糸調子装置４０の上側には、本実施形態に係る上糸調子調整具５０が設けられている。上糸調子調整具５０は、上糸調子装置４０から針側を上流として、上流側に第１の接触部５１である穴を有すると共にこの第１の接触部５１より下流側に上糸２の糸道を変更する第２の接触部５２を具備する。第１の接触部５１及び第２の接触部５２は、メッキなどが施され摩擦抵抗が極めて小さくされていることが望ましい。
【００１９】
この上糸調子調整具５０は、金属製で平板状のベース５３に形成された長穴５４を介してネジ５５によりアーム部２０の側部２１に取り付けられている。上糸調子調整具５０は、長穴５４により左右へ移動することができ、これにより糸調子を制御可能となっている。
【００２０】
この上糸調子調整具５０は、一枚の金属板をコ字状に折り曲げられて形成され、ベース５３と平行する表面部５８との間に第１の接触部５２を構成する円柱が取り付けられている。上糸２は糸掛け２４から上側の上糸調子調整具５０へ向かい、第２の接触部５２を構成する円柱を部分的に周回して第１の接触部５１である穴を介して上糸調子調整具５０を抜け出ている。
【００２１】
上糸調子調整具５０を抜け出た上糸２は、上方の天秤１２の穴に通されて針棒１３に設けられた針１４へと導かれる。
【００２２】
ヘッド部３０内であって、針１４の下方には、下糸を保持する釜が配置され、従来より公知の動作を行う構成を有している。
【００２３】
以上のように構成されたミシン装置において、上糸調子装置４０における調整ナット４４の締め付け度合いを、上糸２が布地の下にでない程度に、従来より弱くして、動作させる。これによって、細糸から太糸に到るまでの全種の糸を用いた縫製においても、糸締りが良く且つ縫い縮みが少なくソフトに縫い上げることができた。細糸を用いた場合にも糸切れが少なくなった。
【００２４】
また、薄物、裏地、ショゼット綿、ニット、メッシュ、シルク類、革製品、シーンズ生地、テント地、ファルナー付生地、ビニールなど全てのものに対して、糸締りが良く且つ縫い縮みが少なくソフトに縫い上げることができた。また、地縫、ステッチ縫、返し縫などにおいても、この効果が確かめられた。
【００２５】
図４に、変形例に係る上糸調子調整具５０Ａを示す。この上糸調子調整具５０Ａは、図３の第１の実施例である上糸調子調整具５０におけるベース５３が、横長の板状であったのに対し、縦長の板状のベース５３ａを備える。この上糸調子調整具５０Ａは、上糸調子調整具５０と全く変わらない作用効果を有する。
【００２６】
図５に、第２の実施例に係る上糸調子調整具５０Ｂを示す。この上糸調子調整具５０Ｂは、Ｌ字状のベース５３ｂの立設壁５３ｃに穴である第１の接触部５１が形成されている。また、ベース５３ｂの平板部から先端がＵ字上に折り曲げられた曲面を有する円柱体である第２の接触部５２が立設されている。
【００２７】
上糸２は、第２の接触部５２の下方からＵ字上に折り曲げられた円柱体の間隙部を介して第１の接触部５１である穴へと到り、上糸調子調整具５０Ｂを抜け出ている。この上糸調子調整具５０Ｂによっても、第１の実施例に係る上糸調子調整具５０とほぼ変わらない作用効果を得ることができた。
【００２８】
図６に、第３の実施例に係る上糸調子調整具５０Ｃを示す。この上糸調子調整具５０Ｃは、平板状のベース５３ｄに二本の円柱体を立設したものであり、上糸調子装置４０から遠い側の円柱体が第１の接触部５１であり、上糸調子装置４０に近い側の円柱体が第２の接触部５２である。二本の円柱体には曲面を有するもので、上糸２の暴れを抑制するガード蓋５６が被せられて設けられている。ガード蓋５６は、二本の円柱体の外側に沿ったアーム部５６ａを有している。
【００２９】
上糸２は、第２の接触部５２の下方から第２の接触部５２である円柱体を部分的に巻回するようにして第２の接触部５２である円柱体から第１の接触部５１である円柱体の下方へと回り込み、第１の接触部５１である円柱体の外側部から上糸調子調整具５０Ｃを抜け出ている。この上糸調子調整具５０Ｃによっても、第１の実施例に係る上糸調子調整具５０とほぼ変わらない作用効果を得ることができた。
【００３０】
図７に、第４の実施例に係る上糸調子調整具５０Ｄを示す。この上糸調子調整具５０Ｄは、平板状のベース５３ｅの両端部から壁部５３ｆ、５３ｇが略直角に折り曲げられて設けられた構成を有する。壁部５３ｆ、５３ｇには、それぞれ穴が形成されており、これらの穴がそれぞれ第１の接触部５１と第２の接触部５２を構成する。
【００３１】
上糸２は、第２の接触部５２の下方から壁部５３ｇへ向かい、壁部５３ｇの外側から第２の接触部５２である穴を介して第１の接触部５１である穴を通って上糸調子調整具５０Ｄの外部へ抜ける。この上糸調子調整具５０Ｄによっても、第１の実施例に係る上糸調子調整具５０とほぼ変わらない作用効果を得ることができた。
【００３２】
なお、上記の各上糸調子調整具５０、５０Ａ〜５０Ｄにおいては、この部分で上糸２の糸道が略水平方向となって最も好適な状態であるが、糸道の方向は略水平方向以外の傾斜した適宜な方向や略垂直方向であっても良い。即ち、第１の接触部５１と第２の接触部５２によって糸調子が制御されるため、上糸調子装置４０における糸調子制御を適宜行うことにより、糸締りが良く且つ縫い縮みが少なくソフトに縫い上げることができるのである。
【００３３】
また、各上糸調子調整具５０、５０Ａ〜５０Ｄの取付位置についても最も好適な状態であるが、これ以外の位置であっても良い。即ち、上糸調子装置４０が備えられたミシン装置における、上記上糸調子装置４０から針１４までの上糸の糸道に設けられていれば良い。また、各実施例は、１本針のミシン装置であるが、２本針のミシン装置に適用することも可能である。
【符号の説明】
【００３４】
２  上糸
１０  本体
１１  プーリ
１２  天秤
１３  針棒
１４  針
２０  アーム部
３０  ヘッド部
４０  上糸調子装置
４４  調整ナット
５０、５０Ａ〜５０Ｄ  上糸調子調整具
５１  第１の接触部
５２  第２の接触部
５４  長穴
５５  ネジ
５６  ガード蓋
５６ａ  アーム部
５８  表面部
【図１】
2011251050.tif 000003
【図２】
2011251050.tif 000004
【図３】
2011251050.tif 000005
【図４】
2011251050.tif 000006
【図５】
2011251050.tif 000007
【図６】
2011251050.tif 000008
【図７】
2011251050.tif 000009